(57)【特許請求の範囲】
【請求項１】
天井スラブに取り付けられ、複数のベース側止め金具を有する感知器ベースと、
前記ベース側止め金具に着脱可能に係合する複数のベース側端子金具を有するベース側感知器アダプタと、
前記天井スラブの下方に設けられた天井面に取り付けられ、複数のヘッド側止め金具を有するヘッド側感知器アダプタと、
前記ヘッド側止め金具に着脱可能に係合する複数のヘッド側端子金具を有する感知器ヘッドと、
前記ベース側端子金具と前記ヘッド側止め金具とを接続する電気ケーブルとからなることを特徴とする火災感知器。
【発明の詳細な説明】
【０００１】
【発明の属する技術分野】
この発明は、火災の発生を検知する火災感知器に関する。
【０００２】
【従来の技術】
一般に火災感知器は信号線を介して監視盤に接続される感知器べースと、この感知器べースに着脱可能に装着される感知器ヘッドとから構成され、感知器ヘッドの上面に設けられた複数のヘッド側端子金具を感知器べースの下面に設けられた複数のベース側止め金具に係合させることにより感知器べースに感知器ヘッドを装着して火災の発生を検知する構成となっている。
ところで、このような火災感知器の感知器べースは天井面に取り付けられるのが一般的であるが、最近のテナントビルやオフィスビルでは感知器べースを天井スラブに取り付け、この感知器べースに感知器ヘッドを装着して消防法上の検査を受けるようにしたものも見受けられる。この場合、感知器べースは天井スラブに埋設又は露出配管等に敷設された信号線を介して監視盤に接続される。
【０００３】
【発明が解決しようとする課題】
しかしながら、その後の内装工事で天井スラブの下に天井面を設けた場合には、感知器ヘッドを感知器べースにそのまま装着すると、感知器ヘッドが天井面で隠れてしまうため、感知器べースを天井面に新たに設ける必要があり、天井スラブに取り付けられた既設の感知器べースを利用できなくなるという問題があった。
【０００４】
この発明は上記の点に鑑みてなされたもので、後日の内装工事で天井スラブの下に天井面を設けた場合でも天井スラブに設けられた既設の感知器べースを利用して感知器ヘッドを天井面に取り付けることのできる火災感知器を提供することを目的とする。
【０００５】
【課題を解決するための手段】
かかる目的を達成するために、この発明に係る火災感知器は、天井スラブに取り付けられ、複数のベース側止め金具を有する感知器ベースと、前記ベース側止め金具に着脱可能に係合する複数のベース側端子金具を有するベース側感知器アダプタと、前記天井スラブの下方に設けられた天井面に取り付けられ、複数のヘッド側止め金具を有するヘッド側感知器アダプタと、前記ヘッド側止め金具に着脱可能に係合する複数のヘッド側端子金具を有する感知器ヘッドと、前記ベース側端子金具と前記ヘッド側止め金具とを接続する電気ケーブルとからなることを特徴とする。
【０００６】
【発明の実施の形態】
以下、この発明の実施の形態を図面を参照して説明する。
図１はこの発明の一実施形態を示す図であり、図中１は天井スラブを示している。この天井スラブ１には保護パイプ２が埋設されており、保護パイプ２の内部には図示しない監視盤から引き出された複数本の信号線３が挿通されている。また、保護パイプ２の途中には信号線取出しボックス４が設けられ、この信号線取出しボックス４の下面には、感知器ベ−ス５の本体部６が複数本のねじ７により取り付けられている。
【０００７】
上記本体部６は樹脂等の絶縁材料からなり、この本体部６の下面には図２に示す如くベース側止め金具８ａ，８ｂが設けられている。これらのベース側止め金具８ａ，８ｂは本体部６に固定された端子板９（図１参照）と、この端子板９にねじ止めされた板ばね１０とからなり、端子板９，９と板ばね１０，１０との間にはベース側端子金具１２ａ，１２ｂが着脱可能に係止されている。なお、ベース側止め金具８ａ，８ｂには信号線取出しボックス４から取り出された信号線３が本体部６の中央部に形成された開口部１１を通して接続されている。
【０００８】
ベース側端子金具１２ａ，１２ｂは樹脂等の絶縁材料からなるベース側感知器アダプタ１３の上面に設けられており、これらのベース側端子金具１２ａ，１２ｂにはヘッド側感知器アダプタ１５の下面に設けられたヘッド側止め金具１６ａ，１６ｂが電気ケ−ブル１４ａ，１４ｂを介して接続されている。
【０００９】
ヘッド側感知器アダプタ１５は樹脂等の絶縁材料からなり、ねじ等により天井面１７に取り付けられている。また、ヘッド側感知器アダプタ１５のヘッド側止め金具１６ａ，１６ｂはベース側止め金具８ａ，８ｂと同様の構成となっており、これらのヘッド側止め金具１６ａ，１６ｂには感知器ヘッド１８のヘッド側端子金具１９ａ，１９ｂが着脱可能に係合するようになっている。
【００１０】
このような構成において、天井スラブ１に取り付けられた感知器ベース５と感知器ヘッド１８とを接続する場合には、図３に示す（ａ）の如く天井面１７にヘッド側感知器アダプタ１５を取り付け、このヘッド側感知器アダプタ１５のヘッド側止め金具１６ａ，１６ｂに感知器ヘッド１８のヘッド側端子金具１９ａ，１９ｂを係合させてヘッド側感知器アダプタ１５の下面に感知器ヘッド１８を装着する。次に、図３に示す（ｂ）の如く伸縮自在な着脱器２０を用いてベ−ス側感知器アダプタ１３を感知器ベ−ス５に押し当て、この状態で着脱器２０を所定方向に回してベ−ス側感知器アダプタ１３のベース側端子金具１２ａ，１２ｂを感知器ベ−ス５のベース側止め金具８ａ，８ｂに係合させ、感知器ベ−ス５の下面にベ−ス側感知器アダプタ１３を装着する。
【００１１】
このようにして感知器ベ−ス５の下面にベ−ス側感知器アダプタ１３が装着されると、図３に示す（ｃ）の如くベース側端子金具１２ａ，１２ｂに接続された電気ケ−ブル１４ａ，１４ｂが天井面１７の近くまで垂れ下がるので、天井面１７に形成された開口２１から手を入れて電気ケ−ブル１４ａ，１４ｂを引き出し、ヘッド側感知器アダプタ１５のヘッド側止め金具１６ａ，１６ｂに接続することにより天井スラブ１に設けられた感知器ベ−ス５とヘッド側感知器アダプタ１５に装着された感知器ヘッド１８とを電気的に接続することができる。
したがって、上述した実施形態では後日の内装工事で天井スラブ１の下に天井面１７を設けた場合でも感知器べース５を天井面１７に新設する必要がなく、天井スラブ１に設けられた既設の感知器べース５を利用して感知器ヘッド１８を天井面１７に取り付けることができる。
なお、ベ−ス側感知器アダプタ１３の形状は感知器ヘッド１８の形状と同じにしても良く、このようにすれば同一の着脱器を用いてベ−ス側感知器アダプタ１３と感知器ヘッド１８を着脱できる。
【００１２】
【発明の効果】
以上説明したように、この発明によれば、後日の内装工事で天井スラブの下に天井面を設けた場合でも天井スラブに設けられた既設の感知器べースを利用して感知器ヘッドを天井面に取り付けることができる。
【図面の簡単な説明】
【図１】この発明の一実施形態に係る火災感知器とその感知器アダプタを示す図である。
【図２】図１に示す感知器ベースの底面図である。
【図３】同実施形態に係る火災感知器及び感知器アダプタの取り付け方法を説明するための図である。
【符号の説明】
１  天井スラブ
２  保護パイプ
３  信号線
４  信号線取出しボックス
５  感知器ベース
８ａ，８ｂ  ベース側止め金具
１２ａ，１２ｂ  ベース側端子金具
１３  ベ−ス側感知器アダプタ
１４ａ，１４ｂ  電気ケーブル
１５    ヘッド側感知器アダプタ
１６ａ，１６ｂ  ヘッド側止め金具
１７    天井面
１８    感知器ヘッド
１９ａ，１９ｂ    ヘッド側端子金具
【図１】
0003588532.tif 000002
【図２】
0003588532.tif 000003
【図３】
0003588532.tif 000004